(57)【要約】  視力の機能的問題の検査、診断又は診断補助及び治療のための装置及び方法であり、この装置は、ユーザの眼の前に配置される機能組立体（２）を含む機器により形成され、それぞれの機能組立体（２）は、ディスプレイタイプのスクリーン（５）、レンズタイプの要素（６）、画像を撮影するためのカメラ（７）、及び光を投射するスポットライト（８）を含む。この機能組立体（２）は電子装置（１０）に接続され、そして電子装置（１０）にコンピュータ（１１）、外部変化検出システム（１２〜１３）、音声相互通信システム（１４〜１５）、及び制御手段（１６）が接続される。これにより、視力の機能的問題を決定し、この問題を矯正するための訓練を行う。
2014515625.tif 000002
【特許請求の範囲】
【請求項１】
視力の機能的問題の検査、診断又は診断補助及び治療のための、ユーザの眼の前に配置される２つの機能組立体（２）を備えた眼鏡機器（１）により形成される装置であって、前記機能組立体（２）のそれぞれがケース（４）を含み、前記ケース（４）の内部にディスプレイスクリーン（５）、レンズ要素（６）、画像撮影カメラ（７）、及び１つ以上の投射光の光源（８）が配置され、前記機能組立体（２）は電子装置（１０）に接続され、前記電子装置（１０）はコンピュータ（１１）に接続されており、ユーザの頭部の位置の検出及び環境変化の検出を含む外部変化検出システムと、音声通信システムと、前記機能組立体（２）との相互作用を可能にする制御要素（１６）とが前記電子装置（１０）に接続され、前記機能組立体（２）の前記ディスプレイスクリーン（５）上に表示された画像を見ているときの眼の能力のパラメータを測定することを特徴とする装置。
【請求項２】
前記レンズ要素（６）が、前記ケース（４）内に固定されて配置された要素（６．１）と、前記固定要素（６．１）への接近及び前記固定要素（６．１）から離れることが可能である可動要素（６．２）とを含むことを特徴とする、請求項１に記載の視力の機能的問題の検査、診断又は診断補助及び治療のための装置。
【請求項３】
前記レンズ要素（６）が、前記ケース（４）のスロット（９）に差し込まれる要素を含み、該要素は、手動で又は自動ローダを用いて交換可能であることを特徴とする、請求項１に記載の視力の機能的問題の検査、診断又は診断補助及び治療のための装置。
【請求項４】
前記外部変化検出システムが、ユーザの頭部の位置を検出するための１つ以上のセンサ（１２）と、周囲の光を検出するためのセンサ（１３）とを含むことを特徴とする、請求項１に記載の視力の機能的問題の検査、診断又は診断補助及び治療のための装置。
【請求項５】
前記音声通信システムが、ヘッドフォン（１４）及びマイクロフォン（１５）を含み、これらを用いてユーザが前記電子装置（１０）を介して前記機能組立体（２）と通信することができることを特徴とする、請求項１に記載の視力の機能的問題の検査、診断又は診断補助及び治療のための装置。
【請求項６】
前記投射光の光源（８）が可視光又は非可視光を出すことを特徴とする、請求項１に記載の視力の機能的問題の検査、診断又は診断補助及び治療のための装置。
【請求項７】
前記機能組立体（２）が、各ユーザの瞳孔間距離及び視野方向に応じて前記機能組立体（２）を調節するために、手動又は自動で移動及び方向を合わせることができるようにされていることを特徴とする、請求項１に記載の視力の機能的問題の検査、診断又は診断補助及び治療のための装置。
【請求項８】
前記機能組立体（２）を備えた前記眼鏡機器（１）が、ユーザの頭部において固定された取り付けをもたらすための固定手段（３）を有することを特徴とする、請求項１に記載の視力の機能的問題の検査、診断又は診断補助及び治療のための装置。
【請求項９】
前記機能組立体（２）の前記ケース（４）が側方開口部（１７）を有し、前記側方開口部（１７）を通して周囲の光が外部から入るとともに、ユーザがユーザの周囲を見ることができることを特徴とする、請求項１に記載の視力の機能的問題の検査、診断又は診断補助及び治療のための装置。
【請求項１０】
前記機能組立体（２）が、使用時に前記機能組立体（２）とユーザの眼との間に空間が存在するように設定され、ユーザが眼鏡を着けている場合に、ユーザがいつもの眼鏡を着用することができることを特徴とする、請求項１に記載の視力の機能的問題の検査、診断又は診断補助及び治療のための装置。
【請求項１１】
前記ケース（４）内における前記機能組立体（２）の一体化が、埃の侵入を防止する透明な要素での密閉によりもたらされることを特徴とする、請求項１に記載の視力の機能的問題の検査、診断又は診断補助及び治療のための装置。
【請求項１２】
前記機能組立体（２）が、１つの共通のケース（４）で一体化されることを特徴とする、請求項１に記載の視力の機能的問題の検査、診断又は診断補助及び治療のための装置。
【請求項１３】
前記機能組立体（２）において、両方の前記機能組立体（２）に対して動作するように有効的に組み込まれた１つの画像撮影カメラ（７）を有することを特徴とする、請求項１に記載の視力の機能的問題の検査、診断又は診断補助及び治療のための装置。
【請求項１４】
前記レンズ要素（６）が、それぞれの前記機能組立体（２）の前記ケース（４）に設けられた開口部（２０）を通して差し込み可能であるカートリッジ（１９）内に組み込まれていることを特徴とする、請求項１に記載の視力の機能的問題の検査、診断又は診断補助及び治療のための装置。
【請求項１５】
前記レンズ要素（６）が、それぞれの前記機能組立体（２）の外側ケース（４．１）に設けられた開口部を通して差し込み可能であるカートリッジ（１９）内に組み込まれており、前記外側ケース（４．１）は、前記機能組立体（２）の前記ケース（４）を含むことを特徴とする、請求項１に記載の視力の機能的問題の検査、診断又は診断補助及び治療のための装置。
【請求項１６】
前記レンズ要素（６）が、所望の距離で前記ディスプレイスクリーン（５）の画像に焦点を合わせるために、電気的に変形されることができる電気光学レンズにより形成されることを特徴とする、請求項１に記載の視力の機能的問題の検査、診断又は診断補助及び治療のための装置。
【請求項１７】
前記レンズ要素（６）が、所望の距離で前記ディスプレイスクリーン（５）の画像に焦点を合わせるために、互いに軸方向に移動されることができる複数の光学レンズにより形成されることを特徴とする、請求項１に記載の視力の機能的問題の検査、診断又は診断補助及び治療のための装置。
【請求項１８】
前記レンズ要素（６）は、前記レンズ要素（６）を傾けることができる弾性要素（２２）を用いて前記カートリッジ（１９）に組み付けられており、それぞれの前記ケース（４）内において横方向に移動することができる台（２３）を用いて、ユーザの眼に対して前記レンズ要素（６）の位置を合わせることができることを特徴とする、請求項１４に記載の視力の機能的問題の検査、診断又は診断補助及び治療のための装置。
【請求項１９】
前記レンズ要素（６）は、前記レンズ要素（６）を傾けることができる弾性要素（２２）を用いて前記カートリッジ（１９）に組み付けられており、前記ケース（４）と一体化された構造物を用いて、ユーザの眼に対して前記レンズ要素（６）の位置を合わせることができ、前記ケース（４）は、鉛直方向及び／又は水平方向に移動できることを特徴とする、請求項１４に記載の視力の機能的問題の検査、診断又は診断補助及び治療のための装置。
【請求項２０】
前記側方開口部（１７）に対して閉鎖ゲート（２１）が配置され、それにより前記側方開口部（１７）の選択的な閉鎖が可能であることを特徴とする、請求項９に記載の視力の機能的問題の検査、診断又は診断補助及び治療のための装置。
【請求項２１】
前記側方開口部（１７）を通過する光を選択的に遮断することができる、透明性を変化させ易い電気光学材料から作られた遮蔽装置が、前記側方開口部（１７）に対して配置されていることを特徴とする、請求項９に記載の視力の機能的問題の検査、診断又は診断補助及び治療のための装置。
【請求項２２】
請求項１に記載の装置を用いた視力の機能的問題の検査、診断又は診断補助及び治療のための方法であって、ユーザの眼の前に配置されたディスプレイスクリーン（５）上に画像が表示され、電子装置（１０）を介してユーザとの言語又は視覚通信を維持し、ユーザの眼が前記画像を見ている間に、各眼の運動、凝視の輻輳点、瞳孔直径、焦点面の距離、及びレンズ曲率などのパラメータが測定又は算出され、測定又は算出された前記パラメータから眼の能力のパターンを決定し、視力の機能的問題を把握するために前記パターンが正常な視力を定義する予め設定されたパターンと比較され、前記ディスプレイスクリーン（５）上の投影画像により眼が運動させられ、これにより検出された前記機能的問題を改善することができることを特徴とする方法。
【請求項２３】
ユーザの眼の画像が前記カメラ（７）を用いて撮影され、この画像から各眼の凝視方向、ユーザの凝視の輻輳点、及び前記輻輳点からユーザまでの距離が前記電子装置（１０）で算出され、前記レンズ要素（６）が、前記ユーザの凝視の輻輳点からユーザまでの距離に対応する実際の奥行きに従ってその焦点距離を変えるように、前記レンズ要素（６）を制御することを特徴とする、請求項２２に記載の視力の機能的問題の検査、診断又は診断補助及び治療のための方法。
【請求項２４】
前記ディスプレイスクリーン（５）上に投影された各画像が、実際の奥行きに従って符号化され、面が遠くなる程に漸進的に大きくなる特定のぼやけが、前記画像の仮想奥行き又はユーザまでの距離に従って、前記ディスプレイ面上に表示されるそれぞれの面での前記画像の内容に電子装置（１０）を用いて割り当てられることを特徴とする、請求項２２に記載の視力の機能的問題の検査、診断又は診断補助及び治療のための方法。
【発明の詳細な説明】
【技術分野】
【０００１】
本発明は、視力の検査、診断又は診断補助及び治療に関し、実際にこれらの機能を実行することができる装置及び方法を提示する。
【背景技術】
【０００２】
情報の９５％は眼を通して受け取られる。そのため、眼は、空間的位置確認及び感情コミュニケーションのための、そして特には学習（例えば、正規の認識能力、読む能力、読解力などに関する）のための最も重要な手段である。従って、人々が有しているかも知れない機能的問題を検出して治療するために、定期的な眼の検査を行うことが有用である。
【０００３】
眼の状態及び視力機能の検査を可能にする視力検査機器が公知であるが、既存の機器は一般的に単純であり、患者の眼の能力を評価するための専門家の関与を必要とする。そのため、全人口に対して専門家が不足している場合には、人々に視力検査をあまり十分に行うことができない。
【発明の概要】
【発明が解決しようとする課題】
【０００４】
本発明は、ユーザ自身又は専門家が取り扱うことができる簡単な手段により、視力の機能的問題の検査、診断又は診断補助及び治療を可能にする装置及び方法を提供する。
【課題を解決するための手段】
【０００５】
上記装置は眼鏡状の機器を備え、この眼鏡状の機器は、画像ディスプレイスクリーン、レンズ要素、１つ以上の（可視光又は非可視光の）光源、及び画像撮影カメラを、各眼の前の対応する領域に含む。これらの部品の全てが、装着する眼の前に空間を定めるケース内に配置されている。この眼鏡状の機器は、独立の電子装置に接続されており、この電子装置は、更にコンピュータ、音声通信システム、外部光センサ及びユーザの頭部の位置を検出するためのセンサに接続されている。
【０００６】
この組立体は、電子装置を用いて画像を眼の前に配置されたスクリーンに送ることができる。この画像は、眼によりレンズ要素を通して見られており、一方で同時に眼は光源が出した投射光を受ける。これにより、眼は反射を生じ、この反射がカメラにより撮影されて、反射に応じた信号が電子装置に伝送される。電子装置は、この信号を外部センサの信号と組み合わせてデータを生成し、このデータがコンピュータに送信されて処理される。
【０００７】
これにより、眼の機能的パラメータ（例えば、運動、凝視の輻輳点、瞳孔直径、焦点面の距離、及びレンズ曲率）をリアルタイムで取得し、これらのデータを、正常な視力を定義する予め設定されているパターンと比較し、それにより分析された眼のこれら視力の機能的問題を低減又は除去できる治療を採用するために、眼の視力の機能的問題を決定することを可能にする装置がもたらされる。
【０００８】
電子装置及び音声又は画像送信システムを介して、ユーザも、測定されるべき特定のパラメータのデータを取得できる作動を決定するために、この装置と相互作用することができる。
【０００９】
眼の前に配置される機能的要素を含むケースは、この装置をユーザの眼鏡（ユーザが着けているならば）の上から使用することを可能にする。これにより、視力に関して得られるデータは、各個人の眼の特定の環境に関して完全に現実的なものである。
【００１０】
一方で、眼の様々なパラメータに関するデータを得るために、手動で又はレンズ交換に適した自動ローダを用いて交換されることができる交換可能なレンズ要素の組を用いることが考えられる。
【００１１】
本発明の実用的な実施形態によれば、各機能組立体のケースは、レンズ要素を備えたカートリッジを選択的に差し込むための開口部を有する。これにより、ユーザの眼が受ける検査に応じて、最も適切なレンズ要素を備えているカートリッジを選択することができる。
【００１２】
従って、本発明の装置は、視力の機能的問題を検出するための非常に有利な特徴を有し、その独自性、及び上記機能のための好ましい特性を有している。
【図面の簡単な説明】
【００１３】
【図１】片方の眼の視力検査についての、本発明の装置を構成している組立体のブロック線図である。
【図２】ユーザの目の上に装着されるための、本発明に従って作られたそれぞれの組立体を備えた眼鏡状の機器の実用的な実施形態の概略斜視図である。
【図３】図２の機器の一部である一方の組立体の概略断面図である。
【図４】本発明による装置の別の実用的な実施形態の概略斜視図であり、レンズ要素を備えたカートリッジが、それぞれのハウジングケースに対して差し込み位置にある状態を示す。
【図５】図４に示した実施形態において、それぞれのケースにカートリッジが差し込まれることによって形成された組立体の概略断面図である。
【図６】カートリッジがハウジングケース内への差し込みに直面した位置にある配置での概略断面図である。
【図７】カートリッジが差し込まれてハウジングケース内で横方向に傾けられた状態である図６に示した組立体の概略断面図である。
【図８】固定手段が設けられてユーザの頭部に取り付けられた状態での図４に示した装置の概略図である。
【図９】上記装置の詳細な部分斜視図であり、側方開口部を有し、側方開口部が開放位置にある状態の一方の機能組立体を示す。
【図１０】図９と同一の詳細図であり、側方開口部が閉鎖位置にある状態を示す。
【図１１】ユーザの頭部に装着された本発明の装置の別の実用的な実施形態を示す。
【図１２】図１１の詳細な部分拡大図である。
【発明を実施するための形態】
【００１４】
本発明の目的は、健康な目における視力の機能的欠陥を検出するために視力を検査し、それによりその欠陥を矯正する治療を適用することを可能にするための装置及び方法に関する。
【００１５】
実際の限定されない実施形態では、目的とされる装置は、それぞれの眼の上に装着する機能組立体（２）で構成される眼鏡機器（１）によって形成されることが考えられる。この機器（１）には、固定手段（３）が備えられる。固定手段（３）は、ユーザの頭部において固定された取り付けをもたらすための任意のタイプにすることができる。
【００１６】
眼の検査を行うための機能組立体（２）は、それぞれがケース（４）を含み、ケース（４）の内側にディスプレイスクリーン（５）が配置され、このディスプレイの手前に、１組のレンズ要素（６）、画像撮影カメラ（７）及び１つ以上の投射光の光源（８）が配置されている。
【００１７】
機能組立体（２）内のレンズ要素（６）は、光学レンズ、又は同様の機能を果たす別のタイプの要素（例えば、複数の穴又は中央スロットを有する不透明なディスク）にすることができる。一実施形態によれば、前記要素の一方（６．１）は、ケース（４）内に固定されて配置され、他方の要素（６．２）は、固定された要素（６．１）への接近及び固定された要素（６．１）から離れることを可能にして可動配置されて、ズームのように可変の焦点距離を定めることができる。また、他の要素（図示せず）がケース（４）のスロット（９）内に差し込まれ、それは、手動又はそのために適した自動ローダによって交換されることができる。
【００１８】
一方、装置の組立体は、機能組立体（２）の操作可能な動作を制御する電子装置（１０）に接続されており、この電子装置（１０）を介して、ユーザ又は別の人間が、装着された眼に行われる視力検査に関して動作モードを決定するためのシステムと相互作用することができる。
【００１９】
電子装置（１０）は、コンピュータ（１１）並びに外部変化検出システム及び音声通信システムに接続されており、外部変化検出システムは、例えば、ユーザの頭部の位置を感知するための１つ以上のセンサ（１２）及び周囲の光を感知するためのセンサ（１３））を含み、一方で音声通信システムは、ヘッドフォン（１４）及びマイクロフォン（１５）を含む。制御要素（１６）も電子装置（１０）に関して備えられており、制御要素（１６）によって、ユーザは、所望の操作を行うために、機能組立体（２）の操作システムと相互作用することができる。
【００２０】
これにより、この装置を使用するために、機能組立体（２）が眼の前に配置された状態で機器（１）がユーザの頭部に固定され、画像が電子装置（１０）によってスクリーン（５）に送信され、それにより対応する眼によりレンズ要素（６）を通して画像が見られ、同時に光源（８）により光線が眼に投射される。
【００２１】
従って、スクリーン（５）上に現れた画像を眼が見るとき、眼は、眼に投射された光を反射し、その反射は眼の画像と共にカメラ（７）によって捕えられ、カメラ（７）は反射に応じて信号を電子装置（１０）に送信する。電子装置（１０）において、この信号は外部センサ（１２、１３）により提供された信号と組み合わされ、検査されている眼のパラメータに対応したデータを発生し、このデータがコンピュータ（１１）に送信されて処理される。
【００２２】
こうして、運動、凝視の輻輳点、瞳孔直径、焦点面の距離、及びレンズ曲率などの眼の様々なパラメータに対応するデータを、スクリーン（５）上に現れた画像を見ているときの眼の動作において得ることができ、このデータは、視力機能異常を判断するために正常な視力の予め設定されているパターンと比較され、そしてスクリーン（５）上への投影画像によって眼が運動させられて、これが検出された機能的な問題を改善することができる。
【００２３】
機能組立体（２）は、使用中に機能組立体（２）とユーザの眼との間に空間が存在するように設定される。この空間は、ユーザが眼鏡を着けているならば、いつもの眼鏡を着けたまま装置を使用することを可能にする。これにより、視力検査により得られる結果は、装着される眼に対して、完全に現実的なものである。
【００２４】
機能組立体（２）のケース（４）は、側方の開口部（１７）も備えており、この開口部（１７）を通して周囲の光が外部から入ることができ、またユーザが周辺視野によりユーザの周囲を見ることができる。
【００２５】
機器（１）では、視力検査用の要素を組み込んでいる機能組立体（２）が、移動及び方向合わせのシステム（手動又は自動）を備えており、このシステムは、機能組立体（２）の位置を、瞳孔間距離及び各ユーザの視野方向に垂直な面によって調節するためのものであり、これにより視力検査の結果は、いずれの場合にも正確である。
【００２６】
一方で、機器（１）では、機能組立体（２）のそれぞれが各ケース（４）に一体化されて、機能組立体（２）が構造的に独立にすることが可能である。しかし、同様に本発明の概念を変えずに、２つの機能組立体（２）を単一の共通のケース（４）内に一体化することもでき、両方の機能組立体（２）に対して動作する、単一の効果的に組み込まれた画像撮影カメラ（７）を備えることもできる。
【００２７】
ハウジングケース又はケース（４）内での機能組立体（２）の一体化は、動作部品に影響を与えてそれらの劣化を生じさせるおそれがある埃の侵入を防止するために、透明な要素（１８）での密閉によりもたらされる。
【００２８】
交換可能なレンズ要素（６）を差し込むためのスロット（９）に、ブラシ状の毛の細片がさらに設けられており、これがこのスロット（９）に埃が入り込むことを防止する。
【００２９】
図４は、本発明の装置の別の実施形態を示す。この実施形態において、各機能組立体（２）のケース（４）は、レンズ要素（６）を備えた１つ以上のカートリッジ（１９）の選択的な差し込みのための開口部（２０）を有する。従って、ユーザの眼が受けるべき検査に応じて、最も適切なレンズ要素（６）を備えているカートリッジ（１９）が選択されることができる。図５の断面図は、それぞれのディスプレイスクリーン（５）の手前に配置された、対応するケース（４）内に差し込まれたカートリッジ（１９）を示す。
【００３０】
図１１に示されるような好ましい方法において、レンズ要素（６）を備えたカートリッジ（１９）が、外側ケース（４．１）に内に設けられた開口部を通して差し込まれることができ、そしてその外側ケース（４．１）は、カートリッジ（１９）及び機能組立体（２）のケース（４）（その内部にディスプレイスクリーン（５）、画像撮影カメラ（７）及び投射光の光源（８）が配置されている）の両方を覆う。
【００３１】
図１２に見られるように、追加のオプトメカトロニクス部品を装置に導入することを可能にする１つ以上のカートリッジ（１９）を、外側ケース（４．１）に設けられた開口部内に連続的に差し込むことができる。これにより、眼に最も近い第１のカートリッジは、レンズ要素（６）から成るオプトメカトロニクス部品を収容することができ、これはユーザがディスプレイのディスプレイスクリーンを見ることを可能にし、さらに装置がディスプレイスクリーン（５）を、ユーザのはっきりと見える距離で（例えば、軸方向に移動されることができる単焦点レンズ、又は多焦点レンズを用いることによって）示すことを可能にする。一方で、その他のカートリッジは、例えば、眼の正視及び／又は乱視を修正するためのオプトメカトロニクス部品又はその他の部品を収容することができる。
【００３２】
ディスプレイスクリーン（５）上に投影された画像をユーザの眼が立体的かつ現実的に見るために、ディスプレイスクリーン（５）に表示される画像の位相が各眼の遠近感に応じて幾何学的にずらされること、及びレンズ要素（６）が、これらのレンズ要素の焦点距離をユーザの眼によって見られている画像の領域に応じて変更できることが提供されている。
【００３３】
レンズ要素（６）は、様々な距離でディスプレイスクリーン（５）の画像に焦点を合わせることができる任意のタイプのレンズ又はレンズ組立体にすることができ、例えば、電気的に変形可能な電気光学レンズ（多焦点レンズ）若しくは互いに軸方向に移動することができる複数の光学レンズ（可動の固定焦点レンズ）、又はこれらの組合せにすることができる。
【００３４】
レンズ要素（６）をそれぞれの眼に対して位置合わせするために、図６及び図７に見られるように、レンズ要素（６）は、カートリッジ（１９）のケース（４）に、弾性要素（２２）を用いて取り付けられる。この弾性要素（２２）は、そのレンズ要素（６）を所望の位置に配置するために傾けることができる。この弾性要素（２２）は様々な実施形態を有することができ、従ってそれは、図面に示されているようなカートリッジ（１９）の上部に配置された蛇腹、周囲の蛇腹、複数の様々な方向の巻ばね、又はその他の同様の実施形態にすることができる。
【００３５】
図７に詳細に見られるように、一実施形態によれば、レンズ要素（６）は、ケース（４）内部の横方向ガイドに組み付けられた位置決め台（２３）を用いて、ハウジングケース（４）内部において所望の位置まで傾けられる。この台（２３）は、手動で又は自動要素を用いて駆動されることができる。従って、カートリッジ（１９）がそれぞれのケース（４）の開口部（２０）内に適切に差し込まれたならば、カートリッジ（２０）の下部は台（２３）に固定され、そしてこの台（２３）を横方向に移動させることによりレンズ要素（６）の弾性要素（２２）が曲がり、このレンズ要素（６）をユーザの対応する眼の前の所望の位置に合わせることができる。
【００３６】
好ましい実施形態によれば、台（２３）を用いてレンズ要素（６）を傾ける代わりに、所定の構造を有する槍状構造物がケース（４）内部に設けられてケース（４）と一体化されている。
【００３７】
それにより、カートリッジ（１９）をそのハウジングケース（４）内に差し込むと、カートリッジ（１９）に組み込まれたレンズ要素（６）は、槍状物である障害物に突き当たり、この槍状物がレンズ要素（６）を、水平方向及び／又は鉛直方向に移動させる。これは、レンズ要素（６）を固定している弾性要素（２２）が変形されて行われることができる。槍状物、及びレンズ要素（６）との槍状物の接触部分が適切な形状を有するならば、このレンズ要素（６）は、完全に自動的かつ受動的に位置を定められることになる。
【００３８】
この場合、各ユーザの瞳孔間距離及び視野方向に応じてケース（４）を調節するために、ケース（４）は鉛直方向及び／又は水平方向に移動されることができる。
【００３９】
図１１の実施形態のように、ケース（４）がカートリッジ（１９）を含まない場合、機能組立体（２）自体又はカートリッジ（１９）自体が、鉛直方向又は水平方向に移動するための手段を有し、それにより装置を使用しているユーザの瞳孔間距離及び視野方向に応じて、レンズ要素（６）を配置することができる。
【００４０】
図８には、機器（１）がユーザの眼の上に装着され、頭部での固定された取り付けをもたらす手段（３）を用いて固定された様子が示されている。側方開口部（１７）が、機能組立体（２）のケース（４）に関して設けられており、この開口部を通して、ユーザは周辺視野によりユーザの周囲を見ることができる。
【００４１】
行われる検査に応じて、必要な場合に側方開口部（１７）を選択的に閉鎖することを可能にするために、この側方開口部（１７）に関して実用的な閉鎖ゲート（２１）が設けられている。これにより、図９に見られるように、通常の位置では、このゲート（２１）はそれぞれの側方開口部（１７）を空けておくように移動されており、そして診断条件によって必要とされる場合には、図１０に見られるように、ゲート（２１）は側方開口部（１７）を閉鎖するために移動されることができる。
【００４２】
一実施形態によれば、透明性を変化させ易い電気光学材料から作られた遮蔽装置（図示せず）を側方開口部（１７）に関して配置し、この遮蔽装置が、側方開口部（１７）を通過する光を選択的に変化させることを可能にする。この場合、遮蔽装置は側方開口部（１７）内に固定して配置され、遮蔽装置の不透明度を変えることにより、装置内に通過される光を選択的に制御することができる。
【００４３】
従って、装置の実際の使用において、画像がディスプレイスクリーン（５）上でユーザに表示され、この画像を見ている間のユーザの眼のパラメータが計算され、これらのパラメータが、視力機能の問題を判断するために、予め設定されているパターンと比較される。それにより、スクリーン（５）上への投影画像により眼が運動させられ、これが検出された機能的問題の改善を可能にする。
【００４４】
検出された機能的問題の治療を効率的にするために、３次元知覚、及び現実の同等の環境の知覚に関する距離知覚を適切に表現している仮想環境に、ユーザの眼球神経運動系がおかれることが必要である。
【００４５】
これを達成するために、画像は、ディスプレイスクリーン（５）及びレンズ要素（６）を用いて、仮想空間において立体的に（３次元的に）且つユーザから様々な距離で投影されることができる。
【００４６】
これを受けて、ユーザの眼の画像が最初にカメラ（７）により撮影され、それから各眼の凝視の方向、ユーザの凝視の輻輳点、及び輻輳点からユーザまでの距離が電子装置（１０）で計算され、レンズ要素（６）が、ユーザの凝視の輻輳点からユーザまでの距離に対応する実際の奥行きに従ってその焦点距離を変えるように、レンズ要素（６）を制御する。
【００４７】
従って、ディスプレイスクリーン（５）上に投影される各画像は、実際の奥行きに従って符号化され、例えば電子装置（１０）を用いて、画像の仮想奥行き又はユーザまでの距離に従って、ディスプレイ面上に表示されるそれぞれの面での３次元画像の内容に、特定のぼやけを割り当てることができる。このぼやけは、例えば、ユーザの焦点面（ユーザの眼の凝視ラインの輻輳点を含む面）付近ではぼやけが無く、面が遠くなる程にぼやけが漸進的に大きくなる。
【符号の説明】
【００４８】
１  眼鏡機器
２  機能組立体
３  固定手段
４  ケース
４．１  外側ケース
５  ディスプレイスクリーン
６  レンズ要素
６．１  固定レンズ要素
６．２  可動レンズ要素
７  画像撮影カメラ
８  光源
９  スロット
１０  電子装置
１１  コンピュータ
１２  ユーザの頭部の位置を検出するためのセンサ
１３  周囲の光を検出するためのセンサ
１４  ヘッドフォン
１５  マイクロフォン
１６  制御要素
１７  側方開口部
１８  透明な密閉要素
１９  カートリッジ
２０  開口部
２１  閉鎖ゲート
２２  弾性要素
２３  位置決め台
【図１】
2014515625.tif 000003
【図２】
2014515625.tif 000004
【図３】
2014515625.tif 000005
【図４】
2014515625.tif 000006
【図５】
2014515625.tif 000007
【図６】
2014515625.tif 000008
【図７】
2014515625.tif 000009
【図８】
2014515625.tif 000010
【図９】
2014515625.tif 000011
【図１０】
2014515625.tif 000012
【図１１】
2014515625.tif 000013
【図１２】
2014515625.tif 000014
【国際調査報告】
2014515625.tif 000015
2014515625.tif 000016
2014515625.tif 000017
2014515625.tif 000018
2014515625.tif 000019
2014515625.tif 000020
2014515625.tif 000021
2014515625.tif 000022